(57)【要約】【課題】有害な重金属類の溶出を抑制または防止することができるシアン汚染土壌の不溶化・安定化処理方法を提供する。【解決手段】シアンで汚染されたシアン汚染土壌１０に鉄系不溶化剤１２を混合してシアン汚染土壌１０中のシアンを不溶化・安定化処理する方法であって、鉄系不溶化剤１２に加えて、アルカリ系または還元鉄系の薬剤１４をシアン汚染土壌１０に混合する。この場合、薬剤１４と鉄系不溶化剤１２とをあらかじめ混合し、これをシアン汚染土壌１０に混合する。薬剤１４と鉄系不溶化剤１２とを別々にシアン汚染土壌１０に混合してもよい。【選択図】図１
2011194371.tif 000002
【特許請求の範囲】
【請求項１】
シアンで汚染されたシアン汚染土壌に鉄系不溶化剤を混合して前記シアン汚染土壌中のシアンを不溶化・安定化処理する方法であって、
前記鉄系不溶化剤に加えて、アルカリ系または還元鉄系の薬剤を前記シアン汚染土壌に混合することを特徴とするシアン汚染土壌の不溶化・安定化処理方法。
【請求項２】
前記薬剤と前記鉄系不溶化剤とをあらかじめ混合し、これを前記シアン汚染土壌に混合することを特徴とする請求項１に記載のシアン汚染土壌の不溶化・安定化処理方法。
【請求項３】
前記薬剤と前記鉄系不溶化剤とを別々に前記シアン汚染土壌に混合することを特徴とする請求項１に記載のシアン汚染土壌の不溶化・安定化処理方法。
【発明の詳細な説明】
【技術分野】
【０００１】
本発明は、シアンで汚染された土壌を不溶化・安定化処理するシアン汚染土壌の不溶化・安定化処理方法に関するものである。
【背景技術】
【０００２】
従来、シアンで汚染されたシアン汚染土壌中のシアンの不溶化処理方法として、鉄系不溶化剤を用いた処理方法が知られており、既に実用化されている（例えば、特許文献１〜３参照）。
【０００３】
この鉄系不溶化剤を用いた処理方法は、具体的には、粉体または液体の鉄系不溶化剤を、バックホウ、土質改良機、スタビライザーといった混合機で土壌と撹拌混合し、土壌中の遊離シアンと鉄とによる難溶性塩を生成することによって不溶化し、土壌からのシアンおよびその化合物の溶出抑制を行なうものである。
【先行技術文献】
【特許文献】
【０００４】
【特許文献１】特開２００７−１０５６６９号公報
【特許文献２】特開２００６−１０２５９１号公報
【特許文献３】特開２００６−１４２１５０号公報
【発明の概要】
【発明が解決しようとする課題】
【０００５】
ところで、上記の従来の特許文献１等の鉄系不溶化剤を用いた処理方法は、不溶化処理後の土壌のｐＨが低下するため、日本の一般的な土壌において微量に含まれていると考えられる鉛、ひ素、カドミウム、六価クロム等の有害な重金属類がイオン化し、土壌から溶出することが懸念される。このため、シアン汚染土壌の不溶化処理に伴い、有害な重金属類の溶出を抑制または防止することができる技術の開発が求められていた。
【０００６】
本発明は、上記に鑑みてなされたものであって、有害な重金属類の溶出を抑制または防止することができるシアン汚染土壌の不溶化・安定化処理方法を提供することを目的とする。
【課題を解決するための手段】
【０００７】
上記した課題を解決し、目的を達成するために、本発明の請求項１に係るシアン汚染土壌の不溶化・安定化処理方法は、シアンで汚染されたシアン汚染土壌に鉄系不溶化剤を混合して前記シアン汚染土壌中のシアンを不溶化・安定化処理する方法であって、前記鉄系不溶化剤に加えて、アルカリ系または還元鉄系の薬剤を前記シアン汚染土壌に混合することを特徴とする。
【０００８】
また、本発明の請求項２に係るシアン汚染土壌の不溶化・安定化処理方法は、上述した請求項１において、前記薬剤と前記鉄系不溶化剤とをあらかじめ混合し、これを前記シアン汚染土壌に混合することを特徴とする。
【０００９】
また、本発明の請求項３に係るシアン汚染土壌の不溶化・安定化処理方法は、上述した請求項１において、前記薬剤と前記鉄系不溶化剤とを別々に前記シアン汚染土壌に混合することを特徴とする。
【発明の効果】
【００１０】
本発明によれば、シアンで汚染されたシアン汚染土壌に鉄系不溶化剤を混合して前記シアン汚染土壌中のシアンを不溶化・安定化処理する方法であって、前記鉄系不溶化剤に加えて、アルカリ系または還元鉄系の薬剤を前記シアン汚染土壌に混合するので、シアンおよびその化合物と鉄とによる難溶性塩を生成し、土壌中の重金属類の結晶化を促進するとともに、鉄系不溶化剤を単独で使用した場合よりも土壌のｐＨの低下を抑制する。したがって、土壌からのシアンおよびその化合物の溶出抑制を行なってその不溶化を強固にすると同時に、土壌中の有害な重金属類がｐＨの低下によりイオン化し土壌中から溶出することを抑制または防止することができるという効果を奏する。
【図面の簡単な説明】
【００１１】
【図１】図１は、本発明に係るシアン汚染土壌の不溶化・安定化処理方法の実施例を示す図である。
【図２】図２は、本発明に係るシアン汚染土壌の不溶化・安定化処理方法の他の実施例を示す図である。
【発明を実施するための形態】
【００１２】
以下に、本発明に係るシアン汚染土壌の不溶化・安定化処理方法の実施例を図面に基づいて詳細に説明する。なお、この実施例によりこの発明が限定されるものではない。
【００１３】
図１に示すように、本発明に係るシアン汚染土壌の不溶化・安定化処理方法は、シアンで汚染されたシアン汚染土壌１０に対し鉄系不溶化剤１２を混合して不溶化処理を行う際に、マグネシウム系あるいはカルシウム系等のアルカリ系、または還元鉄系の薬剤１４を、鉄系不溶化剤１２にあらかじめ混合しておくというものである。そして、この薬剤１４が混合された鉄系不溶化剤１２を土壌１０に添加して、バックホウ、土質改良機、スタビライザーなどの混合機を用いてこの土壌１０と撹拌混合する。
【００１４】
鉄系不溶化剤１２は、硫酸第１鉄、硫酸第２鉄、塩化第２鉄などの鉄塩またはその混合物を用いた粉体または液体により構成することができる。この鉄系不溶化剤１２は、土壌１０中の遊離シアンと鉄とによる難溶性塩を生成することによって不溶化し、土壌１０からのシアンおよびその化合物の溶出を抑制する作用を有するものである。
【００１５】
薬剤１４は、マグネシウム系あるいはカルシウム系等のアルカリ系、または還元鉄系の薬剤である。この薬剤１４は、土壌１０中のシアンや土壌１０中に元々含有される鉛、ひ素、カドミウム、六価クロム等の有害な重金属類と反応して、マグネシウムやカルシウムのシアン化合物を生成する作用や重金属類を結晶化させる作用等を有し、その不溶化を強固にする。薬剤１４は、土壌１０中の上記の重金属類の溶出を抑制する至適ｐＨに調整しておくことが好ましい。
【００１６】
上記の構成によれば、シアン汚染土壌１０に鉄系不溶化剤１２が混合されると、シアンおよびその化合物と鉄とによる難溶性塩を土壌１０中で生成する。また、薬剤１４が混合されると、マグネシウムやカルシウムのシアン化合物を生成する一方で、土壌１０中の重金属類の結晶化を促進するとともに、鉄系不溶化剤１２を単独で使用した場合よりも土壌１０のｐＨの低下を抑制する。
【００１７】
したがって、土壌１０からのシアンおよびその化合物の溶出抑制を行なってその不溶化を強固にすると同時に、土壌１０中に元々含有される鉛、ひ素、カドミウム、六価クロム等の有害な重金属類がｐＨの低下によりイオン化し土壌１０中から溶出することを抑制または防止することができる。
【００１８】
上記の実施の形態においては、薬剤１４を鉄系不溶化剤１２にあらかじめ混合しておく場合について説明したが、このようにする代わりに、薬剤１４と鉄系不溶化剤１２とを別々にシアン汚染土壌１０に混合しても構わない。
【００１９】
つまり、図２に示すように、鉄系不溶化剤１２をシアン汚染土壌１０に添加混合する一方で、薬剤１４を粉体または液体の状態で土壌１０に添加混合する。この場合、薬剤１４を先に土壌１０に混合してもよいし、鉄系不溶化剤１２を先に土壌１０に混合してもよい。この混合は、バックホウ、土質改良機、スタビライザーなどの混合機を用いた撹拌混合により行うことができる。
【００２０】
また、本発明は、シアンと上記のような重金属類とによる複合汚染の土壌に対しても適用可能であり、この複合汚染の土壌の不溶化・安定化処理において重金属類の溶出を抑制または防止することができる。
【００２１】
以上説明したように、本発明によれば、シアンで汚染されたシアン汚染土壌に鉄系不溶化剤を混合して前記シアン汚染土壌中のシアンを不溶化・安定化処理する方法であって、前記鉄系不溶化剤に加えて、アルカリ系または還元鉄系の薬剤を前記シアン汚染土壌に混合するので、シアンおよびその化合物と鉄とによる難溶性塩を生成し、土壌中の重金属類の結晶化を促進するとともに、鉄系不溶化剤を単独で使用した場合よりも土壌のｐＨの低下を抑制する。したがって、土壌からのシアンおよびその化合物の溶出抑制を行なってその不溶化を強固にすると同時に、土壌中の有害な重金属類がｐＨの低下によりイオン化し土壌中から溶出することを抑制または防止することができる。
【産業上の利用可能性】
【００２２】
以上のように、本発明に係るシアン汚染土壌の不溶化・安定化処理方法は、シアンで汚染された土壌の不溶化・安定化処理に有用であり、特に、有害な重金属類の溶出を抑制または防止するのに適している。
【符号の説明】
【００２３】
１０  シアン汚染土壌
１２  鉄系不溶化剤
１４  アルカリ系または還元鉄系の薬剤
【図１】
2011194371.tif 000003
【図２】
2011194371.tif 000004